【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
生体サンプル混合物から、負に帯電した小さい有機分子を除去する方法であって、
疎水性マトリックスの層上に配置され、該疎水性マトリックス内に少なくとも部分的に包埋された親水性粒子を含む固相抽出材料を提供するステップと、
生体サンプル混合物を提供するステップと、
前記生体サンプル混合物から、前記負に帯電した小さい有機分子の少なくとも一部を除去するために、前記生体サンプル混合物を前記固相抽出材料と接触させるステップと、
を含む方法。
【請求項２】
生体サンプル混合物から、負に帯電した小さい有機分子を除去する方法であって、
固相抽出材料を含む少なくとも１つのプロセスアレイを含むデバイスであって、前記固相抽出材料が、疎水性マトリックスの層上に配置され、該疎水性マトリックス内に少なくとも部分的に包埋された親水性粒子を含むデバイスを提供するステップと、
生体サンプル混合物を、少なくとも１つのプロセスアレイ内に提供するステップと、
前記生体サンプル混合物を、少なくとも１つのプロセスアレイ内で移動させるステップであって、前記生体サンプル混合物から、前記負に帯電した小さい有機分子の少なくとも一部を除去するのに十分な時間、前記生体サンプル混合物および前記固相抽出材料が接触したままであるステップと、
を含む方法。
【手続補正２】
【補正対象書類名】明細書
【補正対象項目名】０００９
【補正方法】変更
【補正の内容】
【０００９】
好ましくない物質（たとえば、色素）を、サイクルシークエンシング（たとえば、サンガー・サイクリング（Ｓａｎｇｅｒ  ｃｙｃｌｉｎｇ））反応混合物から除去するまた別の方法は、常磁性粒子の使用を含む。ダイターミネーター除去材料を組み入れる好適な常磁性粒子の１例は、ＲＡＰＸＴＲＡＣＴという商品名で、ワシントン州ボセルのプロリンクス・インク（Ｐｒｏｌｉｎｘ  Ｉｎｃ．，Ｂｏｔｈｅｌｌ，ＷＡ）から販売されている。こうした材料のさらなる例（およびそれらの使用方法）は、２００１年６月２８日出願の、強化されたサンプル処理デバイス、システムおよび方法（ＥＮＨＡＮＣＥＤ  ＳＡＭＰＬＥ  ＰＲＯＣＥＳＳＩＮＧ  ＤＥＶＩＣＥＳ，ＳＹＳＴＥＭＳ  ＡＮＤ  ＭＥＴＨＯＤＳ）と題する、米国特許出願第０９／８９４，８１０号明細書（米国特許出願公開第２００２／０４７００３（Ｂｅｄｉｎｇｈａｍら））に記載されている。しかし、残念なことに、このような粒子を用いる場合、粒子は、水和状態のままでなければならず、これによって、粒子充填デバイスを前もって製造できる能力が制限される。
【手続補正３】
【補正対象書類名】明細書
【補正対象項目名】００６１
【補正方法】変更
【補正の内容】
【００６１】
本発明の方法は、様々なデバイスで使用することができるが、幾つかの好適なデバイスの様々な例示的実施形態は、たとえば、２００１年６月２８日出願の、強化されたサンプル処理デバイス、システムおよび方法（ＥＮＨＡＮＣＥＤ  ＳＡＭＰＬＥ  ＰＲＯＣＥＳＳＩＮＧ  ＤＥＶＩＣＥＳ，ＳＹＳＴＥＭＳ  ＡＮＤ  ＭＥＴＨＯＤＳ）と題する、米国特許出願第０９／８９４，８１０号明細書（米国特許出願公開第２００２／０４７００３（Ｂｅｄｉｎｇｈａｍら））、および２００１年６月２８日出願の、サンプル処理デバイス（ＳＡＭＰＬＥ  ＰＲＯＣＥＳＳＩＮＧ  ＤＥＶＩＣＥＳ）と題する米国特許出願第０９／８９５，０１０号明細書（米国特許出願公開第２００２／００６４８８５号（Ｂｅｄｉｎｇｈａｍら））に記載されている。他の使用可能なデバイス構築物は、たとえば、２０００年６月２８日出願の、熱処理デバイスおよび方法（ＴＨＥＲＭＡＬ  ＰＲＯＣＥＳＳＩＮＧ  ＤＥＶＩＣＥＳ  ＡＮＤ  ＭＥＴＨＯＤＳ）と題する、米国仮特許出願第６０／２１４，５０８号明細書；２０００年６月２８日出願の、サンプル処理デバイス、システムおよび方法（ＳＡＭＰＬＥ  ＰＲＯＣＥＳＳＩＮＧ  ＤＥＶＩＣＥＳ，ＳＹＳＴＥＭＳ  ＡＮＤ  ＭＥＴＨＯＤＳ）と題する、米国仮特許出願第６０／２１４，６４２号明細書；２０００年１０月２日出願の、サンプル処理デバイス、システムおよび方法（ＳＡＭＰＬＥ  ＰＲＯＣＥＳＳＩＮＧ  ＤＥＶＩＣＥＳ，ＳＹＳＴＥＭＳ  ＡＮＤ  ＭＥＴＨＯＤＳ）と題する、米国仮特許出願第６０／２３７，０７２号明細書；２００１年１月６日出願の、サンプル処理デバイス、システムおよび方法（ＳＡＭＰＬＥ  ＰＲＯＣＥＳＳＩＮＧ  ＤＥＶＩＣＥＳ，ＳＹＳＴＥＭＳ  ＡＮＤ  ＭＥＴＨＯＤＳ）と題する、米国仮特許出願第６０／２６０，０６３号明細書；２００１年４月１８日出願の、強化されたサンプル処理デバイス、システムおよび方法（ＥＮＨＡＮＣＥＤ  ＳＡＭＰＬＥ  ＰＲＯＣＥＳＳＩＮＧ  ＤＥＶＩＣＥＳ，ＳＹＳＴＥＭＳ  ＡＮＤ  ＭＥＴＨＯＤＳ）と題する、米国仮特許出願第６０／２８４，６３７号明細書；および２００１年６月２８日出願の、サンプル処理デバイスおよび担体（ＳＡＭＰＬＥ  ＰＲＯＣＥＳＳＩＮＧ  ＤＥＶＩＣＥＳ  ＡＮＤ  ＣＡＲＲＩＥＲＳ）と題する米国特許出願第０９／８９５，００１号明細書（米国特許出願公開第２００２／００４８５３３号（Ｈａｒｍｓら））に記載されている。
【手続補正４】
【補正対象書類名】明細書
【補正対象項目名】００６３
【補正方法】変更
【補正の内容】
【００６３】
好ましい方法は、２００１年６月２８日出願の、強化されたサンプル処理デバイス、システムおよび方法（ＥＮＨＡＮＣＥＤ  ＳＡＭＰＬＥ  ＰＲＯＣＥＳＳＩＮＧ  ＤＥＶＩＣＥＳ，ＳＹＳＴＥＭＳ  ＡＮＤ  ＭＥＴＨＯＤＳ）と題する米国特許出願第０９／８９４，８１０号明細書（米国特許出願公開第２００２／０４７００３（Ｂｅｄｉｎｇｈａｍら））に例示されているもの等の、複数のプロセスアレイを有するデバイスの使用を含む。各プロセスアレイは、好ましくは、概して、デバイス上に放射状に配列されている（たとえば、遠心力が、流体を、チャンバからチャンバに順次移動させることができるように）、多数のチャンバ（たとえば、充填チャンバ、および反応チャンバまたは浄化チャンバ等の処理チャンバ）を含む。各アレイ内のチャンバは、幾つかの実施形態では、必要に応じて移動を制御するための弁構造を含んでもよい、チャネルまたは他の導管を使用して、流体連通している。
【手続補正５】
【補正対象書類名】明細書
【補正対象項目名】００７１
【補正方法】変更
【補正の内容】
【００７１】
本発明の原理に準拠して製造された１つの例示的なデバイスを、図１に示す。デバイス１０は、好ましくは、図１に示すような、円形のディスクの形状であるが、回転させることができる任意の他の形状を、好ましい円形ディスクの代わりに使用することも可能であろう。図１のデバイス１０は、基材、第１層、および第２層を含む多層複合構造である。
【手続補正６】
【補正対象書類名】明細書
【補正対象項目名】００７９
【補正方法】変更
【補正の内容】
【００７９】
処理チャンバ１５０ａのボリュームを包囲するために、処理チャンバ１５０ａの底部も、コア１８０の表面１８８に付いているカバー１８６を含んでもよい。カバー１８４と同様に、カバー１８６は、接着剤、たとえば本明細書に記載の感圧接着剤を使用してコア１８０に付けられており、またコア１８０で密封することが好ましいであろう。カバー１８６は、処理チャンバ１５０ａ内への、および処理チャンバ１５０ａからの、熱エネルギー移行を増強する金属層の形態で提供されることが好ましいであろう。幾つかの実施形態では、カバー１８６は、たとえば、２００１年６月２８日出願の、強化されたサンプル処理デバイス、システムおよび方法（ＥＮＨＡＮＣＥＤ  ＳＡＭＰＬＥ  ＰＲＯＣＥＳＳＩＮＧ  ＤＥＶＩＣＥＳ，ＳＹＳＴＥＭＳ  ＡＮＤ  ＭＥＴＨＯＤＳ）と題する、米国特許出願第０９／８９４，８１０号明細書（米国特許出願公開第２００２／０４７００３（Ｂｅｄｉｎｇｈａｍら））に記載されている、環形構造の形態で提供することも可能である。